(57)【特許請求の範囲】
【請求項１】
第１および第２のホスト（ＥＰＡ、ＥＰＢ）ならびにＮＦＣコントローラ（ＮＣ）を含む装置（ＮＤ）であって、前記第１および第２のホスト（ＥＰＡ、ＥＰＢ）がそれぞれ第１の通信プロトコル（Ｐ１）および第２の通信プロトコル（Ｐ２）によってリーダ装置（ＲＤ）と通信を行うことが意図され、前記第１および第２のホスト（ＥＰＡ、ＥＰＢ）がそれぞれ第１の識別子（ＩＡ）および第２の識別子（ＩＢ）によって衝突防止フェーズの間に前記リーダ装置（ＲＤ）により識別されることが意図され、前記第１の識別子（ＩＡ）が可変部（ＩＡＶ）を含み、前記可変部（ＩＡＶ）および前記第２の識別子（ＩＢ）が共通パターン（ＣＰＰ）を含み、
前記装置（ＮＤ）が、前記第１の識別子（ＩＡ）を生成することができる手段（Ｍ１）を含むことを特徴とする、装置（ＮＤ）。
【請求項２】
前記第１のホスト（ＥＰＡ）および前記第２のホスト（ＥＰＢ）が１つの構成要素に統合され、前記第１および第２の通信プロトコル（Ｐ１、Ｐ２）が異なることを特徴とする、請求項１に記載の装置（ＮD）。
【請求項３】
前記第１および第２の識別子（ＩＡ、ＩＢ）が同一であり、前記第１および第２の通信プロトコル（Ｐ１、Ｐ２）が異なることを特徴とする、請求項１に記載の装置（ＮD）。
【請求項４】
前記第１および第２の通信プロトコル（Ｐ１、Ｐ２）が同一であり、前記第１および第２のホスト（ＥＰＡ、ＥＰＢ）が異なることを特徴とする、請求項１に記載の装置（ＮD）。
【請求項５】
前記第２の識別子（ＩＢ）が可変部（ＩＢＶ）を含み、前記手段（Ｍ１）が前記第２の識別子（ＩＢ）を生成することができることを特徴とする、請求項１乃至４のいずれか１項に記載の装置（ＮD）。
【請求項６】
前記手段（Ｍ１）が前記第２の識別子（ＩＢ）から前記第１の識別子（ＩＡ）を生成することができることを特徴とする、請求項１乃至５のいずれか１項に記載の装置（ＮD）。
【請求項７】
前記第１および／または前記第２のホスト（ＥＰＡ、ＥＰＢ）がセキュアなホストであることを特徴とする、請求項１乃至６のいずれか１項に記載の装置（ＮD）。
【請求項８】
前記手段（Ｍ１）が前記第１の識別子（ＩＡ）を前記第１のホスト（ＥＰＡ）に送信することができることを特徴とする、請求項１乃至７のいずれか１項に記載の装置（ＮD）。
【請求項９】
前記手段（Ｍ１）が前記ＮＦＣコントローラ（ＮＣ）であることを特徴とする、請求項１乃至８のいずれか１項に記載の装置（ＮD）。
【請求項１０】
前記装置（ＮD）が移動電話等の携帯型装置であることを特徴とする、請求項１乃至９のいずれか１項に記載の装置（ＮD）。
【請求項１１】
前記第１および第２の通信プロトコル（Ｐ１、Ｐ２）の各々が、ＩＳＯ１４４４３−Ａ、ＩＳＯ１４４４３−Ｂ、ＩＳＯ１５６９３、ＩＳＯ１８０９２−Ｆ、またはＪＩＳＸ６３１９−Ｆ規格に準拠することを特徴とする、請求項１乃至１０のいずれか１項に記載の装置（ＮD）。
【請求項１２】
第１および第２のホスト（ＥＰＡ、ＥＰＢ）とリーダ装置（ＲＤ）との間のＮＦＣトランザクションを管理するための方法であって、前記第１および第２のホスト（ＥＰＡ、ＥＰＢ）がＮＦＣ装置（ＮＤ）に埋め込まれ、前記第１および第２のホスト（ＥＰＡ、ＥＰＢ）がそれぞれ第１の識別子（ＩＡ）および第２の識別子（ＩＢ）によって衝突防止フェーズの間に前記リーダ装置（ＲＤ）により識別されることが意図され、前記第１の識別子（ＩＡ）が可変部（ＩＡＶ）を含み、
前記方法が、
前記ＮＦＣ装置（ＮＤ）内で前記第１の識別子（ＩＡ）を生成するステップであって、前記第１の識別子（ＩＡ）の前記可変部（ＩＡＶ）および前記第２の識別子（ＩＢ）が共通パターン（ＣＰＰ）を含むステップと、
前記リーダ装置（ＲＤ）側で、前記第１および第２の識別子（ＩＡ、ＩＢ）内の共通パターンを検索するステップと、
共通パターンが見つかった場合、および前記第１の識別子（ＩＡ）の前記可変部（ＩＡＶ）が前記共通パターンを含む場合、前記第１および第２のホスト（ＥＰＡ、ＥＰＢ）が唯一のＮＦＣ装置（ＮＤ）に埋め込まれていると結論付けるステップと、
を含むことを特徴とする方法。
【請求項１３】
前記第１および第２のホスト（ＥＰＡ、ＥＰＢ）と通信を行うために前記リーダ装置（ＲＤ）によって通信パラメータが用いられ、前記方法が、共通パターンの検索に成功した場合、
前記リーダ装置（ＲＤ）側で前記通信パラメータを更新するステップ
を更に含むことを特徴とする、請求項１２に記載の方法。
【請求項１４】
前記方法が、前記生成ステップの後に前記第１の識別子（ＩＡ）を前記第１のホスト（ＥＰＡ）に送信するステップを含むことを特徴とする、請求項１２に記載の方法。
【発明の詳細な説明】
【技術分野】
【０００１】
本発明は、複数の通信プロトコルを使用可能ないくつかの非接触式カードをエミュレートするＮＦＣ装置を検出する方法に係り、特に、ＮＦＣリーダの近くに存在する物理ＮＦＣ装置の数を検出する方法に関する。
【背景技術】
【０００２】
ＮＦＣ（Near Field Communication：近距離無線通信）技術は、磁界を介したデータ交換に基づいている。ＮＦＣリーダはアンテナを有し、これが磁界を変調してエネルギをＮＦＣ装置に供給することができる。ＮＦＣリーダは通常、ＰＣＤ（近接型結合装置）と呼ばれる。ＮＦＣ装置は、ＰＩＣＣ（近接型ＩＣカード又は近接型カード）とすることができ、または、論理ＰＩＣＣとして作用するコンポーネントを埋め込むことができる。ＰＩＣＣおよびＰＣＤは、１３．５６ＭＨｚに等しいフィールド周波数で誘導結合によって通信を行う。具体的には、ＩＳＯ１４４４３およびＩＳＯ１８０９２規格が、ＮＦＣドメインで使用可能な変調技術および通信プロトコルを規定する。
【０００３】
ＰＣＤの磁界に、いくつかの物理ＰＩＣＣが存在することがある。このため、ＰＣＤがＰＩＣＣをエミュレートすることができる特定のプロセスが定義されている。これらのプロセスは衝突防止機構と呼ばれる。通常は２つの主な衝突防止策が実行される。第１のものはビット指向の決定論的方法であり、第２のものはフレーム指向の統計的方法である。
決定論的方法は、ＩＳＯ１４４４３規格のパート３に定義されており、ＩＳＯ１４４４３−Ａタイプに準拠する製品に主に用いられる。統計的方法は、ＩＳＯ１４４４３規格のパート３に定義されており、ＩＳＯ１４４４３−ＢタイプまたはＩＳＯ１８０９２に準拠する製品に主に用いられる。
【０００４】
双方の衝突防止方法において、各ＰＩＣＣは、ＵＩＤ（Unique Identifier：一意識別子）またはＰＵＰＩ（Pseudo Unique Proxcard Identifier：擬似固有近接カード識別子）と呼ばれることがあるそれ自身の識別子を送信する。ＰＣＤは、対象とするアプリケーションに従ったＰＩＣＣを選択するために受信した識別子を用いる。どの衝突防止策を用いるとしても、各識別子は、トランザクションごとに変動し得る一意の値を有する。どの規格を用いるとしても、ＰＩＣＣが送信する全ての識別子は、規格に記述された原理に従って異なるものであることが想定される。
【発明の概要】
【発明が解決しようとする課題】
【０００５】
ＮＦＣ装置は、いくつかの通信プロトコルを使用可能である複数のＰＩＣＣをエミュレートすることができる。ＰＣＤは、検出されたＰＩＣＣがいくつかの異なる物理装置であるのか、または固有のアンテナを有する単一のＮＦＣ装置によってエミュレートされたＰＩＣＣであるのかを検出することができない。
ＮＦＣリーダが、１組の物理ＰＩＣＣと論理ＰＩＣＣであるエミュレートされた１組のＰＩＣＣとを区別することを可能とすることが必要とされている。
本発明の目的は、上述の技術的な問題を解決することである。
【課題を解決するための手段】
【０００６】
本発明の目的は、第１および第２のホストならびにＮＦＣコントローラを含む装置である。各ホストは論理ＰＩＣＣに対応する。第１のホストは、第１の非接触通信プロトコルによってリーダ装置と通信を行うことが意図されている。第２のホストは、第２の非接触式通信プロトコルによってリーダ装置と通信を行うことが意図されている。第１のホストは、第１の識別子によって衝突防止フェーズの間にリーダ装置により識別されることが意図されている。第２のホストは、第２の識別子によって衝突防止フェーズの間にリーダ装置により識別されることが意図されている。第１の識別子は可変部を含む。携帯型装置は、第１の識別子の可変部および第２の識別子が共通パターンを含むように第１の識別子を生成することができる手段を含む。
【０００７】
一実施形態において、第１のホストは第２のホストとすることができ、第１および第２の通信プロトコルは異なるものとすることができる。
前記第１および第２の識別子は同一とすることができ、第１および第２の通信プロトコルは異なるものとすることができる。
あるいは、前記第１および第２の通信プロトコルは同一とすることができ、第１および第２のホストは異なるものとすることができる。
【０００８】
好適な実施形態において、第２の識別子は可変部を含むことができ、手段は第２の識別子を生成することができる。
有利には、手段は第２の識別子から第１の識別子を生成することができる。
前記第１および第２のホストのいずれか１つはセキュアなホストとすることができる。
有利には、手段は第１の識別子を第１のホストに送信することができる。
有利には、手段はＮＦＣコントローラとすることができる。
【０００９】
好適な実施形態において、前記装置は移動電話等の携帯型装置とすることができる。
前記第１および第２の通信プロトコルの各々は、ＩＳＯ１４４４３−Ａ、ＩＳＯ１４４４３−Ｂ、ＩＳＯ１５６９３、ＩＳＯ１８０９２−Ｆ、またはＪＩＳＸ６３１９−Ｆ規格に準拠することができる。
【００１０】
本発明の別の目的は、少なくとも第１および第２のホストとＮＦＣ技術によって通信を行うための装置である。この装置はＮＦＣリーダとして作用する。前記第１および第２のホストはＮＦＣコントローラに接続されている。第１のホストは、可変部を含む第１の識別子によって衝突防止フェーズの間に前記装置により識別されることが意図されている。第２のホストは、第２の識別子によって衝突防止フェーズの間に前記装置により識別されることが意図されている。前記装置は、前記第１および第２の識別子内で共通パターンを検索することができる第１の手段を含む。前記装置は、共通パターンが見つかった場合、および前記第１の識別子の可変部が共通パターンを含む場合、第１および第２のホストが唯一のＮＦＣ装置に埋め込まれていると結論付けることができる第２の手段を含む。
【００１１】
本発明の別の目的は、第１および第２のホストとＮＦＣリーダ装置との間のＮＦＣトランザクションを管理するための方法である。第１のホストは第１のＮＦＣ装置に埋め込まれ、第１の識別子によって衝突防止フェーズの間にリーダ装置により識別されることが意図されている。第１の識別子は可変部を含む。第２のホストはＮＦＣ装置に埋め込まれ、第２の識別子によって衝突防止フェーズの間にリーダ装置により識別されることが意図されている。この方法は、第１の識別子の可変部および第２の識別子が共通パターンを含むように第１の識別子を生成するステップと、リーダ装置側で、第１および第２の識別子内の共通パターンを検索するステップと、共通パターンが見つかった場合、および第１の識別子の可変部が見つかった共通パターンを含む場合、第１および第２のホストが唯一のＮＦＣ装置に埋め込まれていると結論付けるステップと、を含む。
【００１２】
有利には、この方法は、共通パターンの検索に成功した場合、リーダ装置側で、第１および第２のホストと通信を行うためにリーダ装置が用いる通信パラメータを更新するステップを更に含むことができる。
有利には、この方法は、生成ステップの後に第１の識別子を第１のホストに送信するステップを含むことができる。
【００１３】
本発明の他の特徴および利点は、対応する添付図面を参照して、本発明の多数の好適な実施形態の以下の説明を読むことからいっそう明らかとなろう。
【図面の簡単な説明】
【００１４】
【図１】本発明に従った移動電話タイプのＮＦＣ装置のアーキテクチャの一例を概略的に示す。
【図２】本発明に従ったＮＦＣ装置においてエミュレートされたＰＩＣＣの識別子の構造の一例である。
【図３】ＮＦＣリーダが、本発明に従った単一のＮＦＣ装置に埋め込まれた２つのエミュレートしたＰＩＣＣと通信を行うシステムの一例である。
【図４】ＮＦＣリーダが２つの物理ＰＩＣＣと通信を行うシステムの一例である。
【図５】ＮＦＣリーダが、本発明に従った単一のＮＦＣ装置に埋め込まれた２つのＰＩＣＣと通信を行うシステムの一例である。
【発明を実施するための形態】
【００１５】
本発明は、ＮＦＣコントローラ、アンテナを含み、複数の論理ＰＩＣＣを管理することができるいかなるタイプの装置にも適用可能である。これらの装置は、移動電話または支払い用の電子式資金移動端末のような携帯用装置とすることができる。また、これらの装置は、タグとしても知られるスマートポスターのような固定装置とすることも可能である。
本発明は、ＮＦＣドメインに適した規格ではＰＩＣＣごとに異なるＰＩＣＣ識別子が生成されるという事実に依拠する。識別子の生成は、主としてランダム値を用いることによって達成される。
【００１６】
本発明の利点は、ＰＣＤがその磁界内にいくつのアンテナが物理的に存在するかを検出可能とすることである。従ってＮＦＣリーダは、非接触通信を最適化するために、物理的パラメータおよびプロトコル・パラメータを適合させることができる。この最適化は重要である。なぜなら、アンテナの結合はＰＣＤアンテナの挙動を変更させ、通信帯域幅およびノイズ耐性に影響を与えるからである。
【００１７】
更に、いくつかのＮＦＣアンテナ間で磁界を共有すると、ＮＦＣアンテナごとに利用可能なエネルギが低下することになる。通信パラメータの更新によって、完全非接触式トランザクションの成功を強化することができる。本発明では、あまりに多くのＰＩＣＣが同時に検出された場合にＰＣＤが非接触式トランザクションをアボートすることを回避する。
本発明によって、ＰＣＤは、検出したＰＩＣＣの性質すなわち物理的ＰＩＣＣまたは論理的ＰＩＣＣのいずれかを判定することができる。
【００１８】
本発明の別の利点は、ＰＣＤ側で動作しているアプリケーションに、磁界内に存在する物理ＮＦＣ装置の数を通知することである。単一のＮＦＣ装置が検出された場合、アプリケーションはこの単一のＮＦＣ装置自体と通信を行おうと試みるか、または、全ての検出されるＰＩＣＣは多数のＰＩＣＣの使用に関連した共通の物理リソースおよび一貫したユーザ管理を共有するという事実を利用することができる。
【００１９】
図１は、本発明に従った移動電話タイプの装置のアーキテクチャを示す。
装置ＮＤは、アンテナＡＮ、ＮＦＣコントローラＮＣ、ならびに３つのホストＥＰＡ、ＥＰＢ、およびＥＰＣを含む。各ホストは論理ＰＩＣＣに対応する。各ホストはセキュアである場合もそうでない場合もある。例えばホストは、デジタル・ベース・バンドまたはアプリケーション・プロセッサとすることができる。好適な実施形態において、ＥＰＡはセキュアなホストであるＳＩＭカードであり、ＥＰＢはアクセス・アプリケーションに専用のホストであり、ＥＰＣはバンキング・アプリケーションに専用のホストである。３つのホストは、３つのデジタル・リンクＬＫ１、ＬＫ２、およびＬＫ３を介してＮＦＣコントローラＮＣにリンクされている。具体的には、３つのリンクは、ＳＷＰ（ＴＳ１０２．６１３）、Ｉ２Ｃ、またはＮＦＣ  ＷＩ（ＥＣＭＡ  ３７３）規格によって実装することができる。
【００２０】
好適な実施形態において、ＮＦＣコントローラＮＣは、ＮＦＣリーダとホストＥＰＡ、ＥＰＢ、およびＥＰＣとの間の非接触プロトコルを完全に管理する。非接触プロトコルは、ＩＳＯ１４４４３、ＩＳＯ１８０９２、またはＩＳＯ１５６９３規格に準拠することができる。また、非接触プロトコルは自社開発の規格に準拠することも可能である。各ホストは、他のホストと異なる通信プロトコルを用いることができる。
【００２１】
あるいは、衝突防止フェーズをホスト自体によって管理することも可能である。かかる場合、ＮＦＣコントローラＮＣは、磁界の変調／復調を担当し、ＮＦＣリーダからホストへ、およびその逆へプロトコル・フレームを転送する。
好適な実施形態において、ＮＦＣコントローラＮＣはホストの識別子の生成を担当する。
【００２２】
図２は、本発明に従ったＮＦＣ装置においてエミュレートされたＰＩＣＣの識別子の構造の一例を示す。識別子ＩＡは、固定部ＦＶおよび可変部ＩＡＶを含む。固定部ＦVは固定値を含む。固定値は、用いる通信プロトコル規格によってまたはアプリケーション要件によって定義することができる。
可変部ＩＡＶは、２つの識別子が異なることを保証するためのものである。
【００２３】
本発明によれば、可変部ＩＡＶは、１つのＮＦＣ装置においてエミュレートされたＰＩＣＣの全ての識別子に共通したパターンＣＰＰを含む。共通パターンＣＰＰによって、ＮＦＣリーダは、検出されたＰＩＣＣが同一かつ他と重複しないＮＦＣ装置に属することを検出することができる。換言すると、共通パターンＣＰＰはＮＦＣ装置ＮＤ自体の一意の識別子として作用し、この識別子が異なる場合にはリーダはその磁界内の全てのＰＩＣＣを数えなければならない。
【００２４】
また、可変部ＩＡＶは、同一かつ他と重複しないＮＦＣ装置に属するＰＩＣＣの識別子を区別するためのものであるインデクスＩＳＡも含む。インデクスＩＳＡは、対応するエミュレートされたＰＩＣＣに対して特定的な小さい識別子である。好適な実施形態において、インデクスＩＳＡのサイズはできる限り小さくして、パターンができる限り長くなるようになっている。具体的には、２つのエミュレートされたＰＩＣＣではインデクスのサイズは１ビットに等しく、４つのエミュレートされたＰＩＣＣではインデクスのサイズは２ビットに等しく、８つのエミュレートされたＰＩＣＣではインデクスのサイズは３ビットに等しい等である。
【００２５】
通常、識別子は３２ビット長である。例えば、２つの識別子が値０１０１０１０１０１０１０１０１に設定された固定部を有する場合、共通パターンは１１０１１０１１０１１０１１０に設定することができ、インデクスは、第１の識別子では０に設定し、第２の識別子では１に設定することができる。この結果、第１の識別子は０１０１０１０１０１０１０１０１１１０１１０１１０１１０１１００であり、第２の識別子は０１０１０１０１０１０１０１０１１１０１１０１１０１１０１１０１である。
あるいは、識別子ＩＡは可変部のみを含むことも可能である。
【００２６】
別の実施形態においては、異なるＲＦ技術で搬送された場合、本発明に従って生成された２つの識別子は同一の値を有することができる。すなわち、エミュレートされた各ＰＩＣＣに対して特定的なインデクスは存在しない。かかる例を図３に示す。
【００２７】
図３に示すように、ＮＦＣリーダＲＤは、２つのホストＥＰＡおよびＥＰＢを管理することができる要素ＥＬと通信を行う。エミュレートされたホストＥＰＡは、第１の通信プロトコルＰ１によって通信を行うことが意図されており、エミュレートされたホストＥＰＢは、Ｐ１とは異なる第２の通信プロトコルＰ２によって通信を行うことが意図されている。例えば、第１のプロトコルＰ１はＩＳＯ１４４４３−Ａに準拠することができ、第２のプロトコルＰ２はＩＳＯ１４４４３−Ｂに準拠することができる。要素ＥＬは、本発明に従った単一のＮＦＣ装置ＮＤに埋め込まれている。リーダＲＤはアンテナＡＮ３を有し、これによって、ＮＦＣ装置ＮＤのアンテナＡＮ４との結合による非接触通信が可能となる。ＮＦＣ装置ＮＤは、要素ＥＬに接続されたＮＦＣコントローラＮＣを含む。２つのホストＥＰＡおよびＥＰＢは同一の値を共有する識別子を有することができる。同一の識別子値は２つの異なる通信プロトコルによって受信されるので、ＮＦＣリーダＲＤは２つのホストＥＰＡおよびＥＰＢを識別することができる。
【００２８】
図４は、ＮＦＣリーダが２つの物理ＮＦＣ装置ＮＤ１およびＮＤ２と通信を行うシステムの一例を示す。この例では、２つのＮＦＣ装置は２つの非接触式スマート・カードである。ＮＤ１はアンテナＡＮ１を含み、これによってリーダＲＤのアンテナＡＮ３との結合により通信を行うことができる。また、ＮＤ２は、ＡＮ３と通信することができるアンテナＡＮ２を含む。第１のカードＮＤ１は、識別子ＩＡを用いることが意図されたホストＥＰＡを含む。第２のカードＮＤ２は、識別子ＩＢを用いることが意図されたホストＥＰＢを含む。ＮＦＣリーダＲＤは２つの手段Ｍ２およびＭ３を含む。第１の手段Ｍ２は、衝突防止フェーズの間に受信した識別子内で共通パターンを検索することができる。第２の手段Ｍ３は、見つけた共通パターンを含む識別子が、単一のＮＦＣ装置に埋め込まれたエミュレートされたＰＩＣＣに対応すると結論付けることができる。具体的には、共通パターンは少なくとも１つの識別子の可変部において見つけなければならない。
【００２９】
図４の例において、２つの識別子ＩＡおよびＩＢは、非接触式トランザクションごとにランダムに生成される。２つのカードＮＤ１およびＮＤ２をリーダＲＤの磁界に配置すると、２つの識別子ＩＡおよびＩＢがリーダＲＤによって受信される。第１の手段Ｍ２は、２つの受信した識別子内で共通パターンを検索する。共通パターンが見つかったと考えられるのは、２つの識別子ＩＡおよびＩＢの可変部において少なくとも３つの連続ビットが同一位置で同一値を有する場合である。ＩＡおよびＩＢはランダム値を含むので、共通パターンが見つかる確率は極めて低い。このため、共通パターンは見つからず、リーダＲＤは磁界に２つの物理ＮＦＣ装置があると結論付ける。換言すると、リーダＲＤは磁界に２つのアンテナがあると結論付けることができる。なぜなら、物理的に離れたＰＩＣＣはそれらの識別子の共通パターンをネゴシエートする手段を有しないからである。
【００３０】
図５は、リーダＲＤが単一のＮＦＣ装置ＮＤに埋め込まれた２つのエミュレートされたＰＩＣＣと通信を行うシステムの一例を示す。
この実施形態においては、２つのエミュレートされたＰＩＣＣは、ＮＦＣ装置ＮＤに含まれる２つのホストＥＰＡおよびＥＰＢである。例えば、ＮＦＣ装置ＮＤは移動電話とすることができ、第１のホストＥＰＡはＳＩＭカードとすることができ、第２のホストＥＰＢはトランスポート・アプリケーションに専用のものとすることができる。衝突防止フェーズの間、第１のホストＥＰＡは識別子ＩＡを用いることが意図され、第２のホストＥＰＢは識別子ＩＢを用いることが意図される。この実施形態では、双方の識別子ＩＡおよびＩＢは可変部を含む。
【００３１】
ＮＦＣ装置ＮＤは、ＮＦＣコントローラＮＣおよび手段Ｍ１を含み、これらは２つのエミュレートされたＰＩＣＣに接続されている。装置ＮＤをリーダＲＤの磁界に配置すると、手段Ｍ１は、共通パターンＣＣＰおよび前記可変部の各々に割り当てた２つの特定的なインデクスを生成することによって、識別子ＩＡおよびＩＢを生成する。有利には、生成された識別子ＩＡおよびＩＢはそれぞれＥＰＡおよびＥＰＢに送信される。次いで２つの識別子はリーダＲＤに送信される。リーダＲＤは、アンテナＡＮ３ならびに２つの手段Ｍ２およびＭ３を含む。衝突防止ステップの間、手段Ｍ２は、受信した識別子ＩＡおよびＩＢ内で共通パターンの存在を検索し、少なくとも１つの識別子の可変部が、見つけた共通パターンＣＣＰを含むことをチェックする。共通パターンが見つかると、手段Ｍ３は、２つの識別子ＩＡおよびＩＢが、１つだけのアンテナを有する唯一のＮＦＣ装置に埋め込まれた２つのホストＥＰＡおよびＥＰＢに対応すると結論付ける。
【００３２】
好適な実施形態では、本発明に従って、単一のＮＦＣ装置に属する全てのホストの識別子を生成する。
あるいは、１つの識別子の値を完全に固定することも可能である。具体的には、識別子の値を特定の規格に従って構築することができる。かかる場合、手段Ｍ１は、対応するホストから固定識別子を検索する。次いで、固定値を有する識別子に基づいて、ＮＦＣ装置に属する他のホストの識別子を生成する。換言すると、固定識別子から共通パターンＣＰＰが抽出される。
【００３３】
多様化の目的のため（例えば暗号）、または選択（例えばＪＩＳ−Ｘ６３１９−４）に用いるために、ホストで動作しているアプリケーションが識別子を知る必要がある場合は、手段Ｍ１によって生成した識別子を対応するホストに送信することができる。
有利には、手段Ｍ１およびＮＦＣコントローラＮＣは１つのエンティティに統合されている。あるいは、手段Ｍ１はマイクロプロセッサに実装可能である。
【００３４】
本発明によって、ＮＦＣリーダＲＤは、その磁界内に物理的に存在するアンテナの数を検出することができる。従ってリーダＲＤは、非接触セッションを最適化するためにその通信パラメータを設定することができる。
更に、本発明は、いくつかのアンテナが磁界にある場合にＮＦＣリーダが適用可能な挙動を変更する際に有用である。
【図１】
0005220236.tif 000002
【図２】
0005220236.tif 000003
【図３】
0005220236.tif 000004
【図４】
0005220236.tif 000005
【図５】
0005220236.tif 000006